(57)【要約】      （修正有）【課題】電波が発生する装置の電波を遮蔽する電波暗箱を自由な大きさに短期間で作成可能とした電波遮蔽装置およびその作成方法を提供する。【解決手段】中空部に含水ジェルが充填された遮蔽パネルを、乾いても水分を含む接着剤にて連接して作製する。第１の遮蔽パネルを所望の数、縦横に敷設してつなぎ目１７ａを接着剤にて貼り付けて内壁部Ｗ１を形成し、かつ、第１ないし第４の遮蔽パネル２、６，９，１２を、内壁部Ｗ１のつなぎ目１７ａを覆うように組み合わせて重ねるとともに、つなぎ目１７ｂを接着剤にて貼り付けて内壁部を覆う外壁部Ｗ２を形成し、かつ、内壁部と外壁部の重ね合わせ部分を接着剤にて貼り付けて二重の壁にて電波遮蔽パネル本体を形成し、さらに、電波遮蔽パネル本体の外周辺部同士を、側面がＬ字状となるよう直角に突き合わせて中空部を有する装置本体を形成する。【選択図】図７
2008098463.tif 000002
【特許請求の範囲】
【請求項１】
中空部に含水ジェルが充填された板状の遮蔽パネルを、乾いても水分を含む接着剤にて縦横に連接し組み合わせて作製した電波遮蔽装置であって、
前記遮蔽パネルは、
第１の辺部および第２の辺部により区画された矩形状の第１の遮蔽パネルと、
前記第１の遮蔽パネルの第１の辺部とほぼ同等の長さの第３の辺部を備えるとともに、前記第３の辺部より所望の幅を有して矩形状に形成された第２の遮蔽パネルと、
前記第１の遮蔽パネルの第２の辺部とほぼ同等の長さの第４の辺部を備えるとともに、前記第４の辺部より所望の幅を有して矩形状に形成された第３の遮蔽パネルと、
前記第１の遮蔽パネルの角部に当接すべく形成された第４の遮蔽パネルと、を備え、
前記第１の遮蔽パネルを所望の数、縦横に敷設してつなぎ目を前記接着剤にて貼り付けて内壁部を形成し、かつ、
前記第１ないし第４の遮蔽パネルを、前記内壁部のつなぎ目を覆うように組み合わせて重ねるとともに、組み合わせた前記第１ないし第４の遮蔽パネルのつなぎ目を前記接着剤にて貼り付けて前記内壁部を覆う外壁部を形成し、かつ、
前記内壁部と外壁部の重ね合わせ部分を前記接着剤にて貼り付けて二重の壁にて電波遮蔽パネル本体を形成し、
さらに、前記電波遮蔽パネル本体の外周辺部同士を、側面がＬ字状となるよう直角に突き合わせて中空部を有する装置本体を形成したことを特徴とする電波遮蔽装置。
【請求項２】
前記第４の遮蔽パネルは、ほぼＬ字状を呈するとともに、Ｌ字状の外辺部が前記第１の遮蔽パネルの第１の辺部、および第２の辺部の各々の１．５倍の長さに形成され、かつ、内辺部が前記第１の辺部、および第２の辺部の各々の長さと同等の長さに形成され、さらに、前記外壁部の角部に敷設された第１の遮蔽パネルの前記第１の辺部および第２の辺部に、前記内辺部が当接するよう貼り付けた請求項１に記載の電波遮蔽装置。
【請求項３】
前記第４の遮蔽パネルは、ほぼＬ字状を呈するとともに、Ｌ字状の外辺部が前記第１の遮蔽パネルの第１の辺部の２分の１の長さ、および第２の辺部の６分の１の長さに形成され、かつ、内辺部が前記第１の辺部の４分の１、および前記第２の辺部の６分の１に形成され、さらに、前記内辺部を組み合わせると第１の遮蔽パネルの面積の４分の１の相似形が形成される請求項１に記載の電波遮蔽装置。
【請求項４】
中空部に含水ジェルが充填された板状の正方形の第１の遮蔽パネルを所望の数、縦横に敷設し、つなぎ目を乾いても水分を含む接着剤にて連接し組み合わせて内壁部を形成し、
前記内壁部の周縁部を所望の幅あけた非重合部とし、かつ、前記内壁部のつなぎ目を覆うように組み合わせて前記第１の遮蔽パネルを重ねるとともに、重ね合わせた第１の遮蔽パネルのつなぎ目を前記接着剤にて貼り付けて前記内壁部を覆う外壁部を形成し、さらに、
前記内壁部と外壁部の重ね合わせ部分を前記接着剤にて貼り付けて二重の壁にて電波遮蔽パネル本体を形成し、
前記電波遮蔽パネル本体の外周辺部同士を、側面がＬ字状となるよう直角に突き合わせて中空部を有する装置本体を形成し、
かつ、前記装置本体の角部の前記非重合部を、三面に被覆部が形成された第５の遮蔽パネルにて覆い前記接着剤を介して貼り付けるとともに、
前記装置本体の稜部の前記非重合部を、側面がＬ字状に形成された第６の遮蔽パネルにて覆い前記接着剤を介して貼り付けることを特徴とする電波遮蔽装置の作製方法。
【発明の詳細な説明】
【技術分野】
【０００１】
本発明は、特に、電波が発生する装置を遮蔽するのに好適な電波遮蔽装置およびその作製方法に関する。
【背景技術】
【０００２】
従来、電波を発生する装置を使用する場合、外部に電波が漏れて他の装置や機器に影響を与えないよう、いわゆる、電波暗室（通信用電波遮蔽部屋）と称する電波を遮断した部屋を使用して電波を発生する装置の電波状態を測定するようなことが行われている（例えば、特許文献１参照）。
この通信用電波遮蔽部屋によれば、構造物の室内の空間を囲む壁、天井、床の各内壁面に、通信のための電波を遮蔽する導電性素材を全域に均一に積層した電波遮蔽紙を貼り付けるようになっており、構造物としては高価となるため自前で持つことは困難であり、また、賃借りしたとしても費用が高いという問題があった。
前記の通信用電波遮蔽部屋では費用がかさむため、試験・測定を行う電波を発生する装置が小型の場合、いわゆる、電波暗箱と称する導電シートを有する樹脂成形品を使ったような電波を遮断する箱（ボックス）を使用する場合が多い（例えば、特許文献２参照）。
このボックス（導電シートを有する樹脂成形品）によれば、導電性の不織布と樹脂シート材とを用いて加工がし易く、フレキシブルな大きさに成形でき、しかも、前記電波暗室（通信用電波遮蔽部屋）を建造するより安価なため、小型の装置のサイズに見合う大きさの電波暗箱（導電シートを有する樹脂成形品）を注文して購入するようなことが行われている。
しかしながら、特許文献２の電波暗箱によれば、フレキシブルな大きさに成形できというものの、樹脂シート材を加熱ドラムにより加熱して不織布に当て、この状態で冷却ロール及び加圧ロールにより強制的に不織布の空隙部分に樹脂を含浸させる（同文献の図６参照）ようにしており、成形装置の大型化が避けられないばかりか、前記電波暗室のような１部屋分の成形は実質的には不可能という問題がある。
しかも、注文して成形されると大きさが固定されるため、少しサイズの大きな装置の場合は、前記通信用電波遮蔽部屋を利用せざるをえないという問題があった。
【０００３】
【特許文献１】特開２００４−１１３６８号公報
【特許文献２】特開平８−８５８２号公報
【発明の開示】
【発明が解決しようとする課題】
【０００４】
本発明は、上記の問題点に着目して成されたものであり、電波が発生する装置の電波を遮蔽する、いわゆる、電波暗箱を自由な大きさに短期間で作製可能とした電波遮蔽装置およびその作製方法を提供することを目的とする。
【課題を解決するための手段】
【０００５】
上記の目的を達成するため、本発明に係る電波遮蔽装置は、中空部に含水ジェルが充填された板状の遮蔽パネルを、乾いても水分を含む接着剤にて縦横に連接し組み合わせて作製した電波遮蔽装置であって、前記遮蔽パネルは、第１の辺部および第２の辺部により区画された矩形状の第１の遮蔽パネルと、前記第１の遮蔽パネルの第１の辺部とほぼ同等の長さの第３の辺部を備えるとともに、前記第３の辺部より所望の幅を有して矩形状に形成された第２の遮蔽パネルと、前記第１の遮蔽パネルの第２の辺部とほぼ同等の長さの第４の辺部を備えるとともに、前記第４の辺部より所望の幅を有して矩形状に形成された第３の遮蔽パネルと、前記第１の遮蔽パネルの角部に当接すべく形成された第４の遮蔽パネルと、を備え、前記第１の遮蔽パネルを所望の数、縦横に敷設してつなぎ目を前記接着剤にて貼り付けて内壁部を形成し、かつ、前記第１ないし第４の遮蔽パネルを、前記内壁部のつなぎ目を覆うように組み合わせて重ねるとともに、組み合わせた前記第１ないし第４の遮蔽パネルのつなぎ目を前記接着剤にて貼り付けて前記内壁部を覆う外壁部を形成し、かつ、前記内壁部と外壁部の重ね合わせ部分を前記接着剤にて貼り付けて二重の壁にて電波遮蔽パネル本体を形成し、さらに、前記電波遮蔽パネル本体の外周辺部同士を、側面がＬ字状となるよう直角に突き合わせて中空部を有する装置本体を形成したことを特徴とする。
また、第４の遮蔽パネルは、ほぼＬ字状を呈するとともに、Ｌ字状の外辺部が第１の遮蔽パネルの第１の辺部、および第２の辺部の各々の１．５倍の長さに形成され、かつ、内辺部が第１の辺部、および第２の辺部の各々の長さと同等の長さに形成され、さらに、外壁部の角部に敷設された第１の遮蔽パネルの第１の辺部および第２の辺部に、内辺部が当接するよう貼り付けるようにできる。
また、第４の遮蔽パネルは、ほぼＬ字状を呈するとともに、Ｌ字状の外辺部が第１の遮蔽パネルの第１の辺部の２分の１の長さ、および第２の辺部の６分の１の長さに形成され、かつ、内辺部が第１の辺部の４分の１、および第２の辺部の６分の１に形成され、さらに、内辺部を組み合わせると第１の遮蔽パネルの面積の４分の１の相似形が形成されるようにできる。
さらに、第２の発明に係る電波遮蔽装置の作製方法は、中空部に含水ジェルが充填された板状の正方形の第１の遮蔽パネルを所望の数、縦横に敷設し、つなぎ目を乾いても水分を含む接着剤にて連接し組み合わせて内壁部を形成し、前記内壁部の周縁部を所望の幅あけた非重合部とし、かつ、前記内壁部のつなぎ目を覆うように組み合わせて前記第１の遮蔽パネルを重ねるとともに、重ね合わせた第１の遮蔽パネルのつなぎ目を前記接着剤にて貼り付けて前記内壁部を覆う外壁部を形成し、さらに、前記内壁部と外壁部の重ね合わせ部分を前記接着剤にて貼り付けて二重の壁にて電波遮蔽パネル本体を形成し、前記電波遮蔽パネル本体の外周辺部同士を、側面がＬ字状となるよう直角に突き合わせて中空部を有する装置本体を形成し、かつ、前記装置本体の角部の前記非重合部を、三面に被覆部が形成された第５の遮蔽パネルにて覆い前記接着剤を介して貼り付けるとともに、前記装置本体の稜部の前記非重合部を、側面がＬ字状に形成された第６の遮蔽パネルにて覆い前記接着剤を介して貼り付けることを特徴とする。
【発明の効果】
【０００６】
第１の発明に係る電波遮蔽装置は、中空部に含水ジェルが充填された第１の遮蔽パネルを所望の数、縦横に敷設し、乾いても水分を含む接着剤にてつなぎ目を貼り付けて内壁部を形成し、かつ、第１ないし第４の遮蔽パネルを、内壁部のつなぎ目を覆うように組み合わせて重ねるとともに、組み合わせた第１ないし第４の遮蔽パネルのつなぎ目を接着剤にて貼り付けて外壁部を形成し、内壁部と外壁部の重ね合わせ部分を前記接着剤にて貼り付けて二重の壁にて電波遮蔽パネル本体を形成し、さらに、電波遮蔽パネル本体の外周部同士を側面がＬ字状となるよう直角に突き合わせて接着剤にて中空部を有する装置本体を形成するようにしたので、内壁部と外壁部とのつなぎ目がずれた状態で二重に重ね合わされ、かつ、水分を含んだ含水ジェルが充填された第１ないし第４の遮蔽パネル、およびこれらを貼り合わせている接着剤にて回りが囲まれるため、電波が漏れにくい電波遮蔽装置が実現できるという効果がある。
また、第２の発明に係る電波遮蔽装置の作製方法によれば、中空部に含水ジェルが充填された第１の遮蔽パネルを所望の数、縦横に敷設し、乾いても水分を含む接着剤にてつなぎ目を貼り付けて内壁部を形成し、内壁部の周縁部を所望の幅あけた非重合部とし、かつ、内壁部のつなぎ目を覆うように組み合わせて第１の遮蔽パネルを重ねるとともに、重ね合わせた第１の遮蔽パネルのつなぎ目を接着剤にて貼り付けて内壁部を覆う外壁部を形成し、さらに、内壁部と外壁部の重ね合わせ部分を接着剤にて貼り付けて二重の壁にて電波遮蔽パネル本体を形成し、さらに、電波遮蔽パネル本体の外周辺部同士を、側面がＬ字状となるよう直角に突き合わせて中空部を有する装置本体を形成し、かつ、突き合わせて形成された装置本体の角部および稜部を第５、および第６のパネルを組み合わせて貼り付けるようにしたので、突き合わせて生じたつなぎ目が覆われるため、電波の漏れない装置本体が形成されるという効果がある。
【発明を実施するための最良の形態】
【０００７】
以下、本発明の第１の実施の形態の電波遮蔽装置を図１ないし図９に基づき説明する。
【０００８】
図１は、本発明の電波遮蔽装置１を示す概略斜視説明図であり、図２は、「電波遮蔽パネル」としての第１の遮蔽パネル２を示す平面図であり、図３は同遮蔽パネル２の斜視説明図である。
図２および図３に示すように、第１の遮蔽パネル２は、横の長さがＸの第１の辺部３、および縦の長さがＹの第２の辺部４にて区画された矩形状（長方形）を呈するとともに、主に、図３に示すように、厚さＺの板状となっており、内部に中空部５が形成されている。そして、この中空部５には、水分を多く含んだジェル（図示省略）が充填された上で密閉されている。なお、「電波遮蔽パネル」は中空部５が形成し易いよう、例えば樹脂にて作製されており、以下においても中空部５部が形成されており、かつ、中空部５には、水分を多く含んだジェルが充填されて密閉されているものとして説明する。
【０００９】
図４は、「電波遮蔽パネル」としての第２の遮蔽パネル６を示す平面図であり、この第２の遮蔽パネル６は、前記第１の遮蔽パネル２を、縦の第２の辺部４の中心線Φ２にて切断したサイズで形成してある。すなわち、横は前記第１の辺部３と同等の長さＸを有する第３の辺部７であり、また、縦は前記第２の辺部４の半分の長さＹ／２を有する第４の辺部８となっている。
【００１０】
図５は、「電波遮蔽パネル」としての第３の遮蔽パネル９を示す平面図であり、この第３の遮蔽パネル９は、前記第１の遮蔽パネル２を、横の第１の辺部３の中心線Φ１にて切断したサイズで形成してある。すなわち、横は前記第１の辺部３のほぼ半分の長さＸ／２を有する第５の辺部１０となっており、また、縦は前記第２の辺部４と同等の長さＹを有する第６の辺部１１となっている。
【００１１】
図６は、「電波遮蔽パネル」としての第４の遮蔽パネル１２を示す平面図であり、この第４の遮蔽パネル１２は、ほぼＬ字状を呈している。そして、Ｌ字状の外辺部の一辺は、前記第１の遮蔽パネル２の第１の辺部３の長さＸのほぼ１．５倍の第７の辺部１３となっており、また、この第７の辺部１３に直交する外辺部の他方の辺は、前記第２の辺部４の長さＹのほぼ１．５倍の第８の辺部１４となっている。さらに、前記第７の辺部１３に平行するＬ字状の内辺部の一辺は、第１の遮蔽パネル２の第１の辺部３の長さＸにほぼ相当する長さＸを有する第９の辺部１５となっており、また、この第９の辺部１５に直交する内辺部の他方の辺は、第２の辺部４の長さＹにほぼ相当する長さＹを有する第１０の辺部１６となっている。
【００１２】
次に、主に図７ないし図９に基づき、電波遮蔽装置１の作製方法につき説明する。
図７は、第１ないし第４の遮蔽パネル２、６、９、１２の敷設過程を示す平面説明図、図８は、図７中、矢示ＶＩＩＩ方向より見た概略側面図、図９は、図１中、矢示ＩＸ−ＩＸ線に沿う概略断面図を示す。
先ず、矩形状（長方形）の第１の遮蔽パネル２を敷設する。図７では、説明の都合上、下層に第１の遮蔽パネル２ａ、２ａを２枚、横方向に連接して図示しているが、実際は縦横に所望の数、敷設するとともに、遮蔽パネル２ａ、２ａ間のつなぎ目１７ａを「接着剤１８」（図９参照）にて貼り付けて所望の大きさ（サイズ）の内壁部Ｗ１を形成する。
なお、接着剤１８としては、乾いたとしても水分を多く含む原材料、例えば、乳濁液とも称されるエマルジョンの採用が可能である。
【００１３】
次に、前記敷設した内壁部Ｗ１に対し第１ないし第４の遮蔽パネル２、６、９、１２を組み合わせ、かつ、重ねて敷設するものであり、先ず、内壁部Ｗ１の角部（コーナー）の遮蔽パネル２ａに「角部材」としての第４の遮蔽パネル１２を重ね合わせる。より具体的には、第１の遮蔽パネル２ａの第１の辺部３に第４の遮蔽パネル１２の第７の辺部１３を、さらに、第１の遮蔽パネル２ａの第２の辺部４に第４の遮蔽パネル１２の第８の辺部１４を、おのおの沿わせて重ね合わせるものであり、第４の遮蔽パネル１２が重ね合わされた状態（図７の想像線にて図示）において、前記第７の辺部１３が第１の辺部３の長さＸの１．５倍あり、かつ、前記第８の辺部が第２の辺部４の長さＹの１．５倍あるため、内壁部Ｗ１のつなぎ目１７ａは覆われることになる。
前記角部（コーナー）に重ね合わせた第４の遮蔽パネル１２を基準として、「辺部材」としての第２および第３の遮蔽パネル６、９、並びに「角部材」としての第４の遮蔽パネル１２を周縁部に組み合わせ、かつ、第１の遮蔽パネル２ｂを組み合わせてつなぎ目１７ｂを接着剤１８にて貼り合せるとともに、内壁部Ｗ１のつなぎ目１７ａを覆う状態の外壁部Ｗ２を形成するものであり、内壁部Ｗ１と外壁部Ｗ２とは接着剤１８にて貼り付けるようになっており、以て、内壁部Ｗ１のつなぎ目１７ａと外壁部Ｗ２のつなぎ目１７ｂがずれた状態で、かつ、接着剤１８にて貼り付けられた二重の壁にて電波遮蔽パネル本体１９が形成されるようになっている。
また、前記第４の遮蔽パネル１２を基準とすると、この遮蔽パネル１２に連接する外壁部Ｗ２の角部の第１の遮蔽パネル２ｂ（図７の実線にて図示）の角部（コーナー）は、内壁部Ｗ１の第１の遮蔽パネル２ａの第１の辺部３の中心線Φ１、および第２の辺部４の中心線Φ２の交点に位置決めされるとともに、第９の辺部１５と第１の辺部３、および第１０の辺部１６と第２の辺部４がおのおの当接して貼り合わされるようになる。
なお、図８は、内壁部Ｗ１の第１の遮蔽パネル２ａに第１ないし第４の遮蔽パネル２ｂ、６、９、１２を重ね合わせただけで、粘着剤１８にて貼り合せていない状態を示している。
【００１４】
前記の内壁部Ｗ１および外壁部Ｗ２の二重の壁にて作製された電波遮蔽パネル本体１９の外周辺部同士を、側面がＬ字状となるよう直角に突き合わせ接着剤１８にて接合部分を貼り合わせることにより中空部２０を有する装置本体２１を形成する（図１参照）。
主に、図９の概略断面図により前記電波遮蔽パネル本体１９の外周辺部同士を突き合わせた前記装置本体２１の角部（コーナー）の状態を説明する。第１の遮蔽パネル２ａが敷設され、同パネル２ａ、２ａ間のつなぎ目１７ａが接着剤１８にて貼り合わされた内壁部Ｗ１と、第２の遮蔽パネル６、第４の遮蔽パネル１２（第１のパネル２ｂ、および第３のパネル９は見えない状態）間のつなぎ目１７ｂが接着剤１８にて貼り合わされた外壁部Ｗ２との重ね合わせ部分を、さらに接着剤１８にて貼り合せて作製した電波遮蔽パネル本体１９を突き合わせ、角部（コーナー）を接着剤１８にて貼り合せて中空部２０を形成しており、内壁部Ｗ１のつなぎ目１７ａと、外壁部Ｗ２のつなぎ目１７ｂとがずれた状態、かつ、内壁部Ｗ１と外壁部Ｗ２が重なり合った状態で、接着剤１８が施されている。
【００１５】
上述したように、中空部５に含水ジェルが充填された第１の遮蔽パネル２ａを所望の数、縦横に敷設し、乾いても水分を含む接着剤１８にてつなぎ目７ａを貼り付けて内壁部Ｗ１を形成し、かつ、中空部５に含水ジェルが充填された第１ないし第４の遮蔽パネル２ｂ、６、９、１２を、前記内壁部Ｗ１のつなぎ目７ａを覆うように組み合わせて重ねるとともに、組み合わせた第１ないし第４の遮蔽パネル２ｂ、６、９、１２のつなぎ目７ｂを接着剤１８にて貼り付けて外壁部Ｗ２を形成する。そして、内壁部Ｗ１のつなぎ目７ａと外壁部Ｗ２のつなぎ目７ｂとをずらした状態で、かつ、重ね合わせた内壁部Ｗ１と外壁部Ｗ２の間を接着剤１８で貼り付けて二重の「壁」にて電波が漏洩しにくい電波遮蔽パネル本体１９を作製する。さらに、電波遮蔽パネル本体１９の外周部同士を側面がＬ字状となるよう直角に突き合わせて接着剤１８にて中空部２０を有する装置本体２１を形成するようにしたので、内壁部Ｗ１と外壁部Ｗ２とのつなぎ目１７ａ、１７ｂがずれた状態で二重に重ね合わされて、かつ、乾いても水分を含む接着剤１８にて間が貼り合わされており、電波が通りにくい水分を含んだ含水ジェルが充填された第１ないし第４の遮蔽パネル２、６、９、１２、およびこれらを貼り合わせている、乾いても水分を含む接着剤１８にて回りが囲まれるため、電波が漏れにくい電波遮蔽装置１が実現できるものである。
【００１６】
次に、主に、図１０に基づき、他の実施の形態につき説明する。
なお、以下において、先の実施の形態と同様の部分は同一符号を付すに止め、詳説は省略する。
図１０は、第１ないし第４の遮蔽パネルの敷設過程を示す、図７相当の平面説明図である。
本実施の形態において、第１ないし第３の遮蔽パネル２、６、９は、先の実施の形態と同様であるが、「角部材」としての第４の遮蔽パネル２２の形状が異なる。すなわち、遮蔽パネル２２はほぼＬ字状を呈しており、Ｌ字状の外辺部の一辺は、前記第１の遮蔽パネル２の第１の辺部３の長さＸのほぼ１／２の第１１の辺部２３となっており、また、この第１１の辺部２３に直交する外辺部の他方の辺は、前記第２の辺部４の長さＹのほぼ１／３の第１２の辺部２４となっている。さらに、前記第１１の辺部２３に平行するＬ字状の内辺部の一辺は、第１の遮蔽パネル２の第１の辺部３の長さＸのほぼ１／４に相当する長さＸ／４を有した第１３の辺部２５となっており、また、この第１３の辺部２５に直交する内辺部の他方の辺は、第２の辺部４の長さＹのほぼ１／６に相当する長さＹ／６を有した第１４の辺部２６となっている。
この「角部材」としての第４の遮蔽パネル２２を内壁部Ｗ１の角部（コーナー）の遮蔽パネル２ａに重ね合わせる。より具体的には、第１の遮蔽パネル２ａの第１の辺部３に第４の遮蔽パネ２２の第１１の辺部２３を、かつ、第１の遮蔽パネル２ａの第２の辺部４に第４の遮蔽パネル２２の第１２の辺部２４を、おのおの沿わせて重ね合わせるものであり、さらに、前記重ね合わせた第４の遮蔽パネル２２の内辺部に、他の第４の遮蔽パネル２２を抱き合わせて組み合わせるものであり、一対の第４の遮蔽パネル２２、２２を抱き合わせて組み合わせることにより、内壁部Ｗ１の第１の遮蔽パネル２ａの角部（コーナー）において、第１の遮蔽パネル２ａのほぼ１／４の面積が覆われるとともに、角部（コーナー）に重ね合わせた抱き合わせの第４の遮蔽パネル２２、２２を基準として、第１の遮蔽パネル２ｂ、第２の遮蔽パネル６、第３の遮蔽パネル９、および第４の遮蔽パネル２２を組み合わせ、重ね合わせてつなぎ目１７ｂを接着剤１８にて貼り合せるとともに、内壁部Ｗ１のつなぎ目１７ａを覆う状態の外壁部Ｗ２を形成するものであり、内壁部Ｗ１のつなぎ目１７ａと外壁部Ｗ２のつなぎ目１７ｂがずれた状態で、かつ、二重の壁にて電波遮蔽パネル本体１９が形成されるものである。
本実施の形態の「角部材」としての第４の遮蔽パネル２２を、先の第４の遮蔽部材１２に比し小型に形成したことにより、角部（コーナー）の重ね合わせ作業が容易となるものである。
その他の構成、作用、効果については、先の実施の形態と略同様につき詳説を省略する。
【００１７】
次に、主に、図１１ないし図１３に基づき、第３の実施の形態につき説明する。
なお、以下において、先の実施の形態と同様の部分は同一符号を付すに止め、詳説は省略する。
本実施の形態においては、第１の遮蔽パネル２７は一辺が長さＸの第１５の辺部２８を備えた正方形にて形成されている。
また、第５の遮蔽パネル２９は、主に、図１２に示すように、３枚の「板状体」にて三方を塞ぐように一体的に形成される「角部材」であり、装置本体２１の角部（コーナー）を覆う役目を担うものである。同遮蔽パネル２９の外辺部の一辺は、第１の遮蔽パネル２７の長さＸのほぼ半分に相当する長さＸ／２、より具体的には、Ｘ／２に「遮蔽パネル」の厚みＺを加えた長さの第１６の辺部３０となっており、また、内辺部の一辺は、Ｘ／２の長さに相当する第１７の辺部３１となっている。
さらに、「辺部材」としての第６の遮蔽パネル３２は、主に、図１３に示すように、側断面がほぼ鉤型状に形成されており、ほぼ第１の遮蔽パネル２７大の「遮蔽パネル」を中心線Φにて直角に折り曲げたような「折り曲げ形状」となっている。そして、鉤型状の側断面の外辺部の一辺は、前記第１の遮蔽パネル２７の長さＸのほぼ半分に相当する長さＸ／２、より具体的には、Ｘ／２に「遮蔽パネル」の厚みＺを加えた長さの第１８の辺部３３を備え、かつ、鉤型状の側断面の内辺部は、Ｘ／２の長さの第１９の辺部３４を備えている。また、外辺部の「稜辺部」は、前記第１の遮蔽パネル２７の長さＸと同等の長さＸを備えており、これと平行の鉤型の先端部は、長さＸの第２０の辺部３５となっている。
次に、上記の第１、第５および第６の遮蔽パネル２７、２９、３２を組み合わせて電波遮蔽装置１（装置本体２１）を作製する方法を説明する。
先ず、正方形の第１の遮蔽パネル２７ａを縦横に所望の数、敷設するとともに、第１の遮蔽パネル２７ａ、２７ａ間のつなぎ目１７ａを接着剤１８にて貼り付けて内壁部Ｗ１を形成する。
次いで、前記敷設した内壁部Ｗ１に対し、内壁部Ｗ１のつなぎ目１７ａを覆う状態で第１の遮蔽パネル２７ｂを重ね合わせるものであり、より具体的には、内壁部Ｗ１の角部（コーナー）の第１の遮蔽パネル２７ａの中心線Φの交差する位置に外壁部Ｗ２の第１の遮蔽パネル２７ｂを位置決めして重ね合わせて接着剤１８にて貼り付けるものであり、この位置決めされた第１の遮蔽パネル２７ｂを基準とし内壁部Ｗ１に重ね合わせて順次第１の遮蔽パネル２７ｂを敷設する。この作製過程で一時的に周縁部に「非重合部」が発生した電波遮蔽パネル本体３６が形成されるが、この電波遮蔽パネル本体３６の周縁部の前記「非重合部」を除いた中央部位は、内壁部Ｗ１と外壁部Ｗ２とのつなぎ目１７ａ、１７ｂがずれた状態で二重に重ね合わされて、かつ、乾いても水分を含む接着剤１８にて間が貼り合わされた状態となっている。
この電波遮蔽パネル本体３６の外周辺部同士を、側面がＬ字状となるよう直角に三面を突き合わせ、かつ、角部（コーナー）を「角部材」としての前記第５の遮蔽パネル２９にて覆い、かつ、辺部を「辺部材」としての第６の遮蔽パネル３２にて覆って接着剤１８により貼り付けるものであり、角部（コーナー）および辺部の外周辺部に一時的に形成された「非重合部」が、組み合わせた「周辺部片」としての前記第５および第６の遮蔽パネル２９、３２にて覆われることにより装置本体２１の内壁部Ｗ１に対し、角部および辺部を含む外壁部Ｗ２が二重に形成され、しかも、突き合わせたつなぎ目１７が「周辺部片」としての第５および第６の遮蔽パネル２９、３２にて覆われるため、電波の漏れない装置本体２１が形成されることになるものである。
その他の構成、作用、効果については、先の実施の形態と略同様につき詳説を省略する。
【００１８】
なお、上記実施の形態の構成及び動作は例であって、本発明の趣旨を逸脱しない範囲で適宜変更することができることは言うまでもない。
【図面の簡単な説明】
【００１９】
【図１】本発明の一実施の形態による電波遮蔽装置を示す概略斜視説明図である。
【図２】同、第１の遮蔽パネルを示す平面図である。
【図３】同、第１の遮蔽パネルの斜視説明図である。
【図４】同、第２の遮蔽パネルを示す平面図である。
【図５】同、第３の遮蔽パネルを示す平面図である。
【図６】同、第４の遮蔽パネルを示す平面図である。
【図７】同、第１ないし第４の遮蔽パネルの敷設過程を示す平面説明図である。
【図８】同、図７中、矢示ＶＩＩＩ方向より見た概略側面図である。
【図９】同、図１中、矢示ＩＸ−ＩＸ線に沿う概略断面図である。
【図１０】同、第２の実施の形態による遮蔽パネルの敷設過程を示す図７相当の平面説明図である。
【図１１】同。第３の実施の形態による遮蔽パネルの敷設状態を示す平面図である。
【図１２】同、第５の遮蔽パネルを示す斜視説明図である。
【図１３】同、第６の遮蔽パネルを示す斜視説明図である。
【符号の説明】
【００２０】
Ｘ    横の長さ
Ｙ    縦の長さ
Ｚ    厚さ
Ｗ１  内壁部
Ｗ２  外壁部
１    電波遮蔽装置
２、２ａ、２ｂ    第１の遮蔽パネル
３    第１の辺部
４    第２の遮蔽パネル
５    中空部
６    第２の遮蔽パネル
７    第３の辺部
８    第５の辺部
９    第３の遮蔽パネル
１０  第４の辺部
１１  第６の辺部
１２  第４の遮蔽パネル
１３  第７の辺部
１４  第８の辺部
１５  第９の辺部
１６  第１０の辺部
１７，１７ａ、１７ｂ  つなぎ目  
１８  接着剤
１９  電波遮蔽パネル本体
２０  中空部
２１  装置本体
２２  第４の遮蔽パネル（第２の実施の形態）
２３  第１１の辺部
２４  第１２の辺部
２５  第１３の辺部
２６  第１４の辺部
２７  第１の遮蔽パネル（第３の実施の形態）
２８  第１５の辺部
２９  第５の遮蔽パネル
３０  第１６の辺部
３１  第１７の辺部
３２  第６の遮蔽パネル
３３  第１８の辺部
３４  第１９の辺部
３５  第２０の辺部
３６  電波遮蔽パネル本体
【図１】
2008098463.tif 000003
【図２】
2008098463.tif 000004
【図３】
2008098463.tif 000005
【図４】
2008098463.tif 000006
【図５】
2008098463.tif 000007
【図６】
2008098463.tif 000008
【図７】
2008098463.tif 000009
【図８】
2008098463.tif 000010
【図９】
2008098463.tif 000011
【図１０】
2008098463.tif 000012
【図１１】
2008098463.tif 000013
【図１２】
2008098463.tif 000014
【図１３】
2008098463.tif 000015